(57)【要約】【課題】正確な変位測定が可能であり、実用的且つ耐久性を確保した削孔変位計測装置を提供する。【解決方法】中空スクリューロッド６内部に、内周面と間隔Ｓをあけてケーブルガイドパイプ９が保持され、該ケーブルガードパイプ９の下端内部に格納された傾斜計１８から前記ケーブルガードパイプ９内部にケーブル１５が延長され、該ケーブル１５上端を前記中空スクリューロッド６上端部においてスリップリング２１を介して測定機材に連結してなる削孔変位計測装置、好ましくは、前記ケーブルガードパイプ９が、一端内部に雄ソケット２４を有し、他端内部に前記雄ソケットとケーブル１５により連結された雌ソケット２５を有し、順次連結自在に構成されてなり、さらに好ましくは、ケーブルガードパイプ９の雄ソケット２４部及び雌ソケット２５部が分離させられ、その間が用途に対応した長さの中間ガードパイプ２６により連結させられてなる。【選択図】    図６
2004245706.tif 000002
【特許請求の範囲】
【請求項１】
中空スクリューロッド内部に、内周面と間隔をあけてケーブルガードパイプが保持され、該ケーブルガードパイプの下端内部に格納された傾斜計から前記ケーブルガードパイプ内部にケーブルが延長され、該ケーブル上端を前記中空スクリューロッド上端部においてスリップリングを介して測定機材に連結したことを特徴とする削孔変位計測装置。
【請求項２】
ケーブルガードパイプが、一端内部に雄ソケットを有し、他端内部に前記雄ソケットとケーブルにより連結された雌ソケットを有し、順次連結自在に構成されてなることを特徴とする請求項１に記載の削孔変位計測装置。
【請求項３】
ケーブルガードパイプの雄ソケット部及び雌ソケット部が分離させられ、その間が用途に対応した長さの中間ガードパイプにより連結させられてなることを特徴とする請求項２に記載の削孔変位計測装置。
【請求項４】
中空スクリューロッド内におけるケーブルガードパイプの保持を、前記中空スクリューロッド内周面に形成した円形段部に、前記ケーブルガードパイプの上端に形成された注入材料の通過孔を有する円形鍔部を係止させて行うことを特徴とする請求項１、２又は３に記載の削孔変位計測装置。
【請求項５】
ケ−ブルガードパイプの内部適位置にケーブルを保持するストッパーを設けたことを特徴とする請求項１、２、３又は４に記載の削孔変位計測装置。
【発明の詳細な説明】
【０００１】
【発明の属する技術分野】
本発明は、ソイルセメント連続壁の造成工事、地盤改良工事、その他、削孔を伴う各種工事における削孔変位計測装置に関する。
【０００２】
【従来の技術】
従来、ソイルセメント連続壁の造成工事、地盤改良工事、その他、各種の土木、基礎工事においては、それぞれの目的に合わせてオーガマシンによる地中削孔が行われる。例えば、前記ソイルセメント連続壁の造成に使用されるオーガマシンは、走行自在のベースマシンに起立させられたリーダの上部からワイヤにより吊り下げられた駆動部に、削孔軸として下端にオーガヘッドを有する中空スクリューロッドが、削孔深度に合わせて連結され、該中空スクリューロッドの内部にセメント、ベントナイト等の注入材料（グラウト）を供給してソイル柱の打設が行われる。
【０００３】
前記オーガマシンによる削孔時に、前記中空スクリューロッド下端のオーガヘッドが固い地盤や障害物に当たった場合、その他の原因によって前記中空スクリューロッドが傾斜させられ、鉛直削孔行われない場合があった。その結果、不完全なソイルセメント連続壁が造成され、所定の止水等の効果が得られないことになる。
【０００４】
前記不都合を解決するため、スクリューロッドの下部振れ止めの下端に、スクリューロッドを案内し、掘削地盤に突入自在のケーシングを連結した掘削機が提案されている（特開２００１−３４９１６４号公報参照）。また、前記中空スクリューロッド先端のオーガヘッド近くに傾斜計を設け、該傾斜計の出力信号をケーブルによって外部の演算処理部に導き、適宜表示装置に表示することが提案されている（特開平８−４３０９２号公報参照）。
【０００５】
【特許文献】
特開２００１−３４９１６４号公報
特開平８−４３０９２号公報
【０００６】
【発明が解決しようとする課題】
本発明は、前記中空スクリューロッド先端のオーガヘッド近くに傾斜計を設け、該傾斜計の出力信号をケーブルによって外部の演算処理部に導く削孔変位計測装置に関する。
【０００７】
前記中空スクリューロッドは、削孔時に回転させられるとともに、中空部には注入材料が供給されるため、前記傾斜計の設置及び該傾斜計から外部へのケーブルの配線には困難が伴う。すなわち、単なる配線ではケーブルの損傷、断線等を避けることができない。本発明は、前記諸問題を解決し、正確な変位計測が可能であり、実用的且つ耐久性を確保した削孔変位計測装置を提供することを目的とする。
【０００８】
【課題を解決するための手段】
前記目的を達成する本発明の削孔変位計測装置は、中空スクリューロッド内部に、内周面と間隔をあけてケーブルガードパイプが保持され、該ケーブルガードパイプの下端内部に格納された傾斜計から前記ケーブルガードパイプ内部にケーブルが延長され、該ケーブル上端を前記中空スクリューロッド上端部においてスリップリングを介して測定機材に連結してなることを特徴とする。
【０００９】
前記本発明によれば、中空スクリューロッドの内部にその内周面と間隔をあけて、該中空スクリューロッドと一体に回転するケーブルガードパイプが保持され、該ケーブルガードパイプの下端内部に保持された傾斜計からケーブルが前記ケーブルガードパイプ内部に延長させられて、その上端が前記中空スクリューロッドの上端においてスリップリングを介して外部に設けられた測定機材とケーブルによって連結される。したがって、注入材料は、前記中空スクリューロッドと前記ケーブルガードパイプの間に供給され、前記傾斜計及びケーブルは損傷、断線等させられることなく完全に保護される。
【００１０】
請求項２に示す実施の形態は、前記ケーブルガードパイプが、一端内部に雄ソケットを有し、他端内部に前記雄ソケットとケーブルにより連結された雌ソケットを有し、順次連結自在に構成されてなることを特徴とする。
【００１１】
すなわち、前記ケーブルガードパイプの一端に雄ソケットが設けられ、他端内部に雌ソケットが設けられ、その間がケーブルにより連結させられるとともに、該ケ−ブルガードパイプ自体が順次連結自在に構成される。なお、前記ケーブルガードパイプの連結自在構成は、例えば、その一端に雌型適合部を形成し、他端に雄型適合部を形成して行われる。この実施の形態によれば、削孔に伴う中空スクリューロッドの延長に合わせて、ケーブルガードパイプ及びケーブルの延長がきわめて容易である。
【００１２】
請求項３に示す実施の形態は、前記ケーブルガードパイプの雄ソケット部及び雌ソケット部が分離させられ、その間が用途に対応した長さの中間ガードパイプにより連結させられてなることを特徴とする。
【００１３】
この実施の形態によれば、ケーブルガードパイプの長さを自由に調整することができる。同時に、ケーブルの長さ調整も、前記雄ソケット及び雌ソケットを利用して容易である。
【００１４】
請求項４に示す実施の形態は、中空スクリューロッド内におけるケーブルガードパイプの保持を、該中空スクリューロッド内周面に形成した円形段部に、前記ケーブルガードパイプの上端に形成された注入材料の通過孔を有する円形鍔部を係止させて行うことを特徴とする。
【００１５】
この実施の形態によれば、前記中空スクリューロッド内における前記ケーブルガードパイプの保持を、特別の止め具等を使用することなく手数を要せず簡単に行うことができ、さらに連結される中空スクリューロッドのそれぞれに前記円形段部を形成しておくことにより前記ケーブルガードパイプ間、さらに前記ケーブル間の連結も容易である。
【００１６】
請求項５に示す実施の形態は、前記ケーブルガードパイプの内部適位置にケーブルを保持するストッパーを設けたことを特徴とする。
【００１７】
この請求項５に示す実施の一形態によれば、前記ケーブルガードパイプ内において、ケーブルが各所において保持され、該ケーブルの吊り荷重が分散され、その耐久性が向上させられる。
【００１８】
【発明の実施の形態】
以下、本発明の実施の一形態を図面に基づいて説明する。図１は、オーガマシンであり、走行自在のベースマシン１に起立させられたリーダ２の上端からワイヤ３により吊り下げられた駆動部４に、削孔軸として下端にオーガヘッド５を有する中空スクリューロッド６が連結されている。図中、７は前記スクリューロッド６の下部振れ止め、８はグラウトホースである。前記オーガマシンによる削孔は、削孔深度に合わせて前記中空スクリューロッド６を適宜連結して行われる。
【００１９】
図２は、前記中空スクリューロッド６部の一部省略断面図である。同図において、９はケーブルガードパイプであり、耐圧、耐蝕性等を有するステンレス等の金属、その他、強度を有する樹脂等からなり、前記中空スクリューロッド６の内周面と間隔Ｓをあけて保持されている。なお、中空スクリューロッド６は、一端に雄型連結部６ａが形成され、他端部に雌型連結部６ｂが形成され、順次連結自在に構成されている。
【００２０】
図２の一例では、前記ケーブルガードパイプ９は、その上部を雌型適合部９ａに、その下部を雄型適合部９ｂに形成し、連結により延長自在に構成されている。すなわち、前記ケーブルガードパイプ９は、その上部の内径を大きくして雌型適合部９ａを形成し、下部の径を小さくして雄型適合部９ｂを形成し、該雄型適合部９ｂが前記雌型適合部９ａに挿入及び適合するように形成されている。図中、１０は前記雄型及び雌型適合部の気密を維持するＯリングである。
【００２１】
また、前記ケーブルガードパイプ９の上端には、円形鍔部９ｃが形成され、該円形鍔部９ｃが、前記中空スクリューロッド６内部に形成した円形段部１１に係止するように構成されている。なお、前記円形鍔部９ｃには、同図及び図３に示すように注入材料の通過孔１２が形成されている。図中、１３は前記ケーブルガードパイプ９の保持プレートであり、前記円形鍔部９ｃと同様に注入材料の通過孔１２が形成されている。図中、１４は前記ケーブルガードパイプ９を前記中空スクリューロッド６の内部に固定するスナップリングである。
【００２２】
本発明では、前記ケーブルガードパイプ９内にケーブル１５が挿通され、好ましくは連結により延長自在に構成される。図面実施の一例では、前記ケーブル１５の両端にそれぞれ連結自在のコネクタ１６が設けられている。図中、１７は前記ケーブルガードパイプ９内において、前記ケーブル１５を保持するケーブルストッパーである。
【００２３】
図４は、前記ケーブルガードパイプ９の最下端部の一例であり、内部に傾斜計１８が装入され、キャップ１９によって密封、格納されている。図中、２０はゴム等の緩衝材である。
【００２４】
図５は、前記中空スクリューロッド６の上端部、すなわち、前記駆動部４の一例であり、前記傾斜計１８からケーブルガードパイプ９とともに延長されたケーブル１５がスリップリング２１を介して測定機材２２に連結される。図中、２３は前記スリップリング２１から導出され、前記測定機材２２に連結されるケーブルである。
【００２５】
前記構成において、前記ケーブルガードパイプ９は、削孔中の前記中空スクリューロッド６内において一体に連結させられる。すなわち、図４に示した傾斜計１８部を最下端にして、図２に示したケーブルガードパイプ９部が適数連結され、その上端に図５に示したスリップリング２１部が一体に連結される。
【００２６】
図６には、前記ケーブルガードパイプ９の異なる実施の形態が示されている。この実施の形態は、前記図２、図３に示した実施の形態と基本的構成は同じである。異なる点は、前記ケーブルガードパイプ９の一端内部、具体的には、前記雌型適合部９ａ内に雄型ソケット２４が設けられ、他端内部、具体的には、前記雄型適合部９ｂ内に雌型ソケット２５が設けられていること、さらに前記ケーブルガードパイプ９が一体物としてではなく、前記雄型ソケット２４部（前記雌型適合部９ａ）と前記雌型ソケット２５部（前記雄型適合部９ｂ）が分離させられ、その間が用途に対応した長さの中間ガードパイプ２６により連結されている点である。
【００２７】
すなわち、前記雄型ソケット２４に形成されたフランジ２４ａが、前記雌型適合部９ａに連結されたケーブルガードパイプ２７によって固定され、前記雌型ソケット２５に形成されたフランジ２５ａが、前記雄型適合部９ｂに連結されたケーブルガードパイプ２８によって固定され、該ケーブルガードパイプ２８と前記ケーブルガードパイプ２７間が前記中間ガードパイプ２６によって連結されている。さらに、前記雄型ソケット２４と前記雌型ソケット２５間がコネクタ１６を介してケーブル１５によって接続させられている。
【００２８】
なお、前記雌型適合部９ａと前記ケーブルガードパイプ２７間の連結、前記雄型適合部９ｂと前記ケーブルガードパイプ２８間の連結、前記ケーブルガードパイプ２７及び前記ケーブルガードパイプ２８と前記中間ガードパイプ２６との連結は、ねじ込み方式、あるいはすでに長さが決まっている場合には溶接等により行われる。図中、２９は固定ねじである。
【００２９】
この図６の実施の形態によれば、前記ケーブルガードパイプ９同士を連結すると前記雄型ソケット２４及び雌型ソケット２５を介して前記ケーブル１５同士が自動的に接続される。したがって、きわめて取扱いが容易である。
【００３０】
前記構成の削孔変位計測装置は、傾斜度合いを電気的信号として得ることができる傾斜計であれば、その種類を問わない。その結果、削孔進行時の適時の傾斜度合いを測定機材２１によって確認することができ、早期に傾斜度合いを確認して対策を講ずることができる。
【００３１】
【発明の効果】
本発明によれば、傾斜計の出力信号をケーブルによって外部の測定機材に導き正確な変位計測が可能であり、実用的且つ耐久性を有する効果が得られる。
【図面の簡単な説明】
【図１】オーガマシンをの側面図である。
【図２】中空スクリューロッドの一部切欠断面図である。
【図３】図２の平面図である。
【図４】傾斜計格納部の断面図である。
【図５】駆動部の要部側面図である。
【図６】ケーブルガードパイプの他の実施の形態を示す一部切欠断面図である。
【符号の説明】
６    中空スクリューロッド
９    ケーブルガードパイプ
９ｃ  円形鍔部
１１  円形段部
１２  通過孔
１７  ストッパー
１５  ケーブル
１７  ケーブルストッパ−
１８  傾斜計
２１  スリップリング
２４  雄型ソケット
２５  雌型ソケット
２６  中間ガードパイプ
【図１】
2004245706.tif 000003
【図２】
2004245706.tif 000004
【図３】
2004245706.tif 000005
【図４】
2004245706.tif 000006
【図５】
2004245706.tif 000007
【図６】
2004245706.tif 000008